(57)【特許請求の範囲】
【請求項１】
呼接続用の報知情報を送信する第１の基地局と、前記第１の基地局の通信可能領域と重なる通信可能領域を有する、呼接続用の報知情報を送信しない第２の基地局と、前記第１の基地局または第２の基地局に呼接続される端末と、前記端末の位置および移動を管理する管理装置を備える無線通信システムにおいて、
前記第１の基地局は、
前記端末から呼接続要求を受信し、自局または前記第２の基地局を前記端末の呼接続先とし、前記端末との間で無線ベアラが確立される前に前記自局および／または前記第２の基地局の運転状況に基づいて、前記第２の基地局を前記端末の呼接続先とする場合、前記呼接続要求を受信した端末の呼接続先を前記第２の基地局に移すことをハンドオーバーの手順を使用して該管理装置へ通知すると共に、前記第２の基地局の周波数を前記端末に通知し、
前記端末は、
前記通知された周波数に基づいて前記第２の基地局と呼接続を行う
ことを特徴とする無線通信システム。
【請求項２】
前記第１の基地局は、
前記第２の基地局の収容可能呼数のうちの空いている呼数に基づいて、自局が前記端末と呼接続するか、前記第２の基地局を前記端末の呼接続先とするかを判断する
ことを特徴とする請求項１に記載の無線通信システム。
【請求項３】
端末と無線信号の送受信を行う第１のインタフェース部と、
端末の位置および移動を管理する管理装置と接続する第２のインタフェース部と、
前記第１のインタフェース部を介して自局が送信した呼接続用の報知情報を受信した端末からの呼接続要求に基づいて、前記自局または前記自局の通信可能領域と重なる通信可能領域を有する、呼接続用の報知情報を送信しない他の基地局を前記端末の呼接続先とし、前記端末との間で無線ベアラが確立される前に前記自局および／または前記他の基地局の運転状況に基づいて、前記他の基地局を前記端末の呼接続先とする場合、前記端末の呼接続先を前記他の基地局に移すことをハンドオーバーの手順を使用して前記第２のインタフェース部を介して該管理装置へ通知すると共に前記他の基地局の周波数を前記第１のインタフェース部を介して前記端末に通知する制御を行う制御部と、
を備えることを特徴とする基地局。
【請求項４】
前記制御部は、
自局の通信可能領域と重なる通信可能領域を有する前記他の基地局から取得した該他の基地局の収容可能呼数のうちの空いている呼数の情報に基づいて、自局が前記端末と呼接続するか、前記他の基地局を前記端末の呼接続先とするかを判断する
ことを特徴とする請求項３に記載の基地局。
【請求項５】
端末と無線信号の送受信を行う第１のインタフェース部と、
端末の位置および移動を管理する管理装置と接続する第２のインタフェース部と、
前記第１のインタフェース部を介して前記端末との呼接続を行うための制御を行う制御部と、
を備え、
前記制御部は、自局の通信可能領域と重なる通信可能領域を有する他の基地局が送信した呼接続用の報知情報を受信した端末からの呼接続要求に基づいて、前記自局または前記他の基地局を前記端末の呼接続先とし、前記端末との間で無線ベアラが確立される前に前記自局および／または前記他の基地局の運転状況に基づいて、前記自局を前記端末の呼接続先とする場合、前記端末の呼接続先を自局に移すことをハンドオーバーの手順を使用して前記第２のインタフェース部を介して該管理装置から通知されたときに前記呼接続を行う
ことを特徴とする呼接続用の報知情報を送信しない基地局。
【請求項６】
呼接続用の報知情報を送信する第１の基地局と、前記第１の基地局の通信可能領域と重なる通信可能領域を有する、呼接続用の報知情報を送信しない第２の基地局と、前記第１の基地局または第２の基地局に呼接続される端末と、前記端末の位置および移動を管理する管理装置を備える無線通信システムにおける通信方法において、
前記第１の基地局が、前記端末から呼接続要求を受信したとき、自局または前記第２の基地局を前記端末の呼接続先とし、前記端末との間で無線ベアラが確立される前に前記自局および／または前記第２の基地局の運転状況に基づいて、前記第２の基地局を前記端末の呼接続先とする場合、前記呼接続要求を受信した端末の呼接続先を前記第２の基地局に移すことをハンドオーバーの手順を使用して該管理装置へ通知すると共に、前記第２の基地局の周波数を前記端末に通知する第１のステップと、
前記端末が、前記通知された周波数に基づいて前記第２の基地局と呼接続を行う第２のステップと、
を含むことを特徴とする無線通信方法。
【請求項７】
前記第１のステップでは、
前記第１の基地局は、前記第２の基地局の収容可能呼数のうちの空いている呼数に基づいて、自局が前記端末と呼接続するか、前記第２の基地局を前記端末の呼接続先とするかを判断することを特徴とする請求項６に記載の無線通信方法。
【発明の詳細な説明】
【技術分野】
【０００１】
この発明は、無線通信システム、基地局および無線通信方法に関する。
【背景技術】
【０００２】
従来、ある領域で無線通信システムの運用中に使用可能な無線チャネルが不足した場合、当該領域で使用可能な無線チャネルを増やすため、基地局を増設することがある。基地局の増設の方法として、基地局同士をカスケード接続し、マスタとなる基地局がもう一方の基地局の呼処理に関する制御を行う技術がある。
【先行技術文献】
【特許文献】
【０００３】
【特許文献１】特開２００４−１８００５６号公報
【発明の概要】
【発明が解決しようとする課題】
【０００４】
基地局同士をカスケード接続する場合には、カスケード接続用のインタフェース部を設けることによるコストの増大や障害発生率の悪化という問題点がある。そこで、無線チャネルの容量を増やす基地局の配置方式として、例えばセルやセクタなどの通信可能領域が既存の基地局の通信可能領域と重なるように新たに基地局を設置し、両基地局の呼処理を上位の装置で制御することが考えられる。このような基地局の配置方式はオーバーレイ方式と呼ばれることがある。オーバーレイ方式にすれば、通信可能領域のチャネル容量を増やすことができる。
【０００５】
しかしながら、例えば３ｒｄ  Ｇｅｎｅｒａｔｉｏｎ  Ｐａｒｔｎｅｒｓｈｉｐ  Ｐｒｏｊｅｃｔ（３ＧＰＰ、第３世代移動体通信システムの標準化プロジェクト）によって標準化が進められているＬｏｎｇ  Ｔｅｒｍ  Ｅｖｏｌｕｔｉｏｎ（ＬＴＥ、ロングタームエボリューション）システムでは、複数の基地局の呼処理を制御する上位の装置がない。そのため、ＬＴＥシステムにおいて、基地局Ａにオーバーレイ方式で基地局Ｂを増設した場合に次のような問題点がある。
【０００６】
基地局Ａは、呼接続用の報知情報（止まり木チャネル）を送信しているとする。基地局Ｂは、報知情報を送信していないとする。基地局Ａおよび基地局Ｂは、Ｍｏｂｉｌｉｔｙ  Ｍａｎａｇｅｍｅｎｔ  Ｅｎｔｉｔｙ（ＭＭＥ、モビリティマネージメントエンティティ）に接続されている。ＭＭＥは、端末の位置や移動の管理を行い、接続の設定や解放およびハンドオーバーの制御を行う管理装置である。
【０００７】
基地局Ａが端末からの呼接続要求を受信し、この端末との呼接続が確立する前の状態で、端末の呼接続先を基地局Ｂに変更しようとして端末に基地局Ｂの周波数を通知したとする。その場合、端末は、基地局Ｂの周波数を用いて基地局Ｂに接続しようとする。しかし、ＭＭＥは、報知情報を送信する基地局と端末とを関連づけて管理するため、端末が基地局Ａの配下にいると認識してしまう。つまり、ＭＭＥは、報知情報を送信していない基地局Ｂの配下に端末がいることを認識することができない。そのため、ＭＭＥは、基地局Ａを介して端末からデータを受信しようとし、基地局Ａを介して端末へデータを送信しようとする。そのため、基地局Ｂを介してＭＭＥと端末との間でデータを送受信することができない。
【０００８】
端末と基地局との間で呼接続が確立する前に、端末から呼接続要求を受信した基地局から他の基地局へ端末の呼接続先が変更された場合に、変更された呼接続先の基地局を介して管理装置と端末との間でデータを送受信することができる無線通信システム、基地局および無線通信方法を提供することを目的とする。
【課題を解決するための手段】
【０００９】
この無線通信システムは、第１の基地局、第２の基地局、端末および管理装置を備える。第１の基地局は、呼接続用の報知情報を送信する。第２の基地局は、第１の基地局の通信可能領域と重なる通信可能領域を有する。端末は、第１の基地局または第２の基地局に呼接続される。管理装置は、端末の位置および移動を管理する。第１の基地局は、端末から呼接続要求を受信したとき、呼接続要求を受信した端末の呼接続先を第２の基地局に移すことをハンドオーバーの手順を使用して管理装置へ通知すると共に、第２の基地局の周波数を端末に通知する。端末は、通知された周波数に基づいて第２の基地局と呼接続を行う。
【発明の効果】
【００１０】
この無線通信システム、基地局および無線通信方法によれば、端末と基地局との間で呼接続が確立する前に、端末から呼接続要求を受信した基地局から他の基地局へ端末の呼接続先が変更された場合に、変更された呼接続先の基地局を介して管理装置と端末との間でデータを送受信することができる。
【図面の簡単な説明】
【００１１】
【図１】実施例１にかかる無線通信システムを示すブロック図である。
【図２】実施例１にかかる基地局を示すブロック図である。
【図３】実施例１にかかる無線通信方法を説明するシーケンス図である。
【図４】実施例２にかかる無線通信システムを示すブロック図である。
【図５】実施例２にかかる基地局を示すブロック図である。
【図６】実施例２にかかる基地局の制御部を示すブロック図である。
【図７】実施例２にかかる基地局の局データの一例を説明する図である。
【図８】実施例２にかかる基地局のオーバーレイ基地局管理データの一例を説明する図である。
【図９】実施例２にかかる端末を示すブロック図である。
【図１０】実施例２にかかるＭＭＥを示すブロック図である。
【図１１】実施例２にかかる無線通信方法において基地局の運転開始時の手順の一例を説明するシーケンス図である。
【図１２】実施例２にかかる無線通信方法において基地局間の運転状況監視手順の一例を説明するシーケンス図である。
【図１３】実施例２にかかる無線通信方法において端末からの発呼手順の一例を説明するシーケンス図である。
【図１４】図１３の続きを示すシーケンス図である。
【図１５】実施例２にかかる無線通信方法において他の基地局からのハンドオーバー手順の一例を説明するシーケンス図である。
【図１６】図１５の続きを示すシーケンス図である。
【図１７】実施例２にかかる無線通信方法において呼解放手順の一例を説明するシーケンス図である。
【図１８】実施例２にかかる無線通信方法において他の基地局へのハンドオーバー手順の一例を説明するシーケンス図である。
【発明を実施するための形態】
【００１２】
以下に添付図面を参照して、この無線通信システム、基地局および無線通信方法の好適な実施の形態を詳細に説明する。
【００１３】
（実施例１）
・無線通信システムの説明
図１は、実施例１にかかる無線通信システムを示すブロック図である。図１に示すように、無線通信システムは、第１の基地局１、第２の基地局３、端末５および管理装置としてのＭＭＥ６を備えている。第１の基地局１と第２の基地局３とは、同一のアンテナから同一の指向性で同一の出力で電波を送信する。第２の基地局３の通信可能領域は、第１の基地局１の通信可能領域と重なっている。ここでは、物理的には別々のアンテナであっても、地理的には同一箇所に設置されており、一本のアンテナと見なすことができるアンテナ群を含めて同一のアンテナと呼んでいる。また、通信可能領域が完全に一致していなくても、基地局の設置者（通信事業者）が意図的に通信可能領域をずらすような設定をしていない場合に、通信可能領域が重なるとしている。一方の基地局の通信可能領域が他方の基地局の通信可能領域を包含するような構成も通信可能領域が重なる場合の一例として含んでいてもよい。第１の基地局１および第２の基地局３は、オーバーレイ方式で運用されている。第１の基地局１は、呼接続用の報知情報（止まり木チャネル）を送信している。第１の基地局１は、端末５から呼接続要求を受信したときに次の動作を行う。第１の基地局１は、端末５と自局または第２の基地局３との間の呼接続が確立していないときに、端末の呼接続先を第２の基地局３に移すことをハンドオーバーの手順を使用してＭＭＥ６へ通知する。また、第１の基地局１は、第２の基地局３の周波数を端末５に通知する。第２の基地局３は、端末５の呼接続先を自局に移すことをハンドオーバーの手順を使用してＭＭＥ６から通知されたときに、端末５との呼接続を行う。端末５は、第１の基地局１から通知された第２の基地局３の周波数に基づいて第２の基地局３と呼接続を行う。
【００１４】
第１の基地局１および第２の基地局３は、ＭＭＥ６に接続されている。また、無線通信システムは、例えば第１の基地局１および第２の基地局３に隣接するセルの第３の基地局７を備えている。第３の基地局７は、第１の基地局１または第２の基地局３とはオーバーレイ方式で運用されていない。第３の基地局７は、ＭＭＥ６に接続されている。各基地局１，３，７とＭＭＥ６との間では、例えばＳ１ＡＰ（Ｓ１  Ａｐｐｌｉｃａｔｉｏｎ  Ｐｒｏｔｏｃｏｌ、Ｓ１アプリケーションプロトコル）によって信号が送受信される。第１の基地局１と第２の基地局３と第３の基地局７との間では、例えばＸ２ＡＰ（Ｘ２  Ａｐｐｌｉｃａｔｉｏｎ  Ｐｒｏｔｏｃｏｌ、Ｘ２アプリケーションプロトコル）によって信号が送受信される。
【００１５】
・基地局の説明
図２は、実施例１にかかる基地局を示すブロック図である。図２に示すように、第１の基地局１は、第１のインタフェース部１１、第２のインタフェース部１２および制御部１３を備える。第１のインタフェース部１１は、端末５と無線信号の送受信を行う。第２のインタフェース部１２は、ＭＭＥ６と接続する。制御部１３は、第１のインタフェース部１１を介して自局が送信した呼接続用の報知情報を受信した端末５からの呼接続要求に基づいて、この端末５の呼接続先を自局の通信可能領域２と重なる通信可能領域４を有する第２の基地局３に移すことをハンドオーバーの手順を使用して第２のインタフェース部１２を介してＭＭＥ６へ通知する。制御部１３は、第２の基地局３の周波数を第１のインタフェース部１１を介して端末５に通知する。第２の基地局３は、第１のインタフェース部１６、第２のインタフェース部１７および制御部１８を備える。第１のインタフェース部１７は、端末５と無線信号の送受信を行う。第２のインタフェース部１７は、ＭＭＥ６と接続する。制御部１８は、第１の基地局１が送信した呼接続用の報知情報を受信した端末５からの呼接続要求に基づいて、この端末５の呼接続先を自局に移すことをハンドオーバーの手順を使用して第２のインタフェース部１７を介してＭＭＥ６から通知されたときに端末５との呼接続を行う。
【００１６】
・無線通信方法の説明
図３は、実施例１にかかる無線通信方法を説明するシーケンス図である。図３に示すように、第１の基地局１は、端末５から呼接続要求を受信すると（ステップＳ１）、端末５の呼接続先を第２の基地局３に移すことをハンドオーバーの手順を使用してＭＭＥ６へ通知する（ステップＳ２）。第２の基地局３は、端末５の呼接続先を自局に移すことをハンドオーバーの手順を使用してＭＭＥ６から通知される（ステップＳ３）。また、第１の基地局１は、ステップＳ１の後、第２の基地局３の周波数を端末５に通知する（ステップＳ４）。端末５は、第１の基地局１から通知された周波数に基づいて第２の基地局３と呼接続を行い、端末５と第２の基地局３との呼接続が確立する（ステップＳ５）。それによって、端末５とＭＭＥ６との間で第２の基地局３を介して上りリンクおよび下りリンクのデータの送受信が開始される（ステップＳ６）。
【００１７】
実施例１によれば、第１の基地局１がハンドオーバー手順に従ってＭＭＥ６へ端末５の呼接続先を第２の基地局３に移すことを通知するので、ＭＭＥ６は、端末５の接続先が第２の基地局３に移ることを認識することができる。第２の基地局３は、ＭＭＥ６から端末５の呼接続先が自局に移ることを通知されるので、端末５との呼接続を行うことができる。第１の基地局１が第２の基地局３の周波数を端末５へ通知するので、端末５は、第２の基地局３と呼接続を行うことができる。従って、端末５と第１の基地局１または第２の基地局３との間の呼接続が確立していない状態で端末５の呼接続先が第１の基地局１から第２の基地局３に移されても、端末５とＭＭＥ６とは第２の基地局３を介してデータの送受信を行うことができる。
【００１８】
（実施例２）
実施例１にかかる無線通信システム、基地局および無線通信方法は、複数の基地局の通信可能領域が重なる無線通信システムに適用することができる。また、通信可能領域が重なる複数の基地局を制御する上位の装置がない無線通信システムに適用することができる。実施例２では、ＬＴＥシステムに適用した例について説明する。
【００１９】
・無線通信システムの構成
図４は、実施例２にかかる無線通信システムを示すブロック図である。図４に示すように、マスター基地局２１の例えばセル２２とオーバーレイ基地局２３の例えばセル２４とが重なっている。端末２５は、マスター基地局２１のセル２２に在圏する場合、マスター基地局２１と接続する。または、オーバーレイ基地局２３の運転状況によっては、端末２５は、マスター基地局２１に呼接続要求を送信した後、マスター基地局２１およびオーバーレイ基地局２３との呼接続が確立する前に、ハンドオーバーの手順に従って、オーバーレイ基地局２３に接続することがある。マスター基地局２１およびオーバーレイ基地局２３は、ネットワーク２６に接続されている。このネットワーク２６には、ＭＭＥ２７が接続されている。
【００２０】
端末２５がオーバーレイ基地局２３と接続することによって、端末２５はオーバーレイ基地局２３に収容される。その分、マスター基地局２１のチャネルに空きができる。マスター基地局２１は、例えば実施例１における第１の基地局１に相当する。マスター基地局２１のセル２２は、例えば実施例１における第１の基地局１の通信可能領域２に相当する。オーバーレイ基地局２３は、例えば実施例１における第２の基地局３に相当する。オーバーレイ基地局２３のセル２４は、例えば実施例１における第２の基地局３の通信可能領域４に相当する。
【００２１】
・基地局の構成
図５は、実施例２にかかる基地局を示すブロック図である。基地局３０は、ハイウェイ部３１、ベースバンド信号処理部３２、無線部３３および制御部３４を備えている。ハイウェイ部３１は、例えばハードウェアを含む物理的なインタフェースである。ハイウェイ部３１は、ＭＭＥ２７や図示しないＳｅｒｖｉｎｇ  Ｇａｔｅｗａｙ（サービングゲートウェイ）との間でパケットの送受信を行う。ハイウェイ部３１は、自局とともにオーバーレイ方式で運用されている基地局との間でパケットの送受信を行う。ハイウェイ部３１は、自局に対してオーバーレイ方式で運用されていない基地局との間でパケットの送受信を行う。ベースバンド信号処理部３２は、ベースバンド信号の処理を行う。ベースバンド信号処理部３２は、１枚以上の呼処理用カード（ＢＢ（Ｂａｓｅ  Ｂａｎｄ）カード）３５を備えている。ベースバンド信号処理部３２は、無線部３３を介して１台以上の端末２５と通信する。無線部３３は、図示省略した増幅器やアンテナを備えている。無線部３３は、ベースバンド信号を無線信号に変換し、増幅器により増幅して、アンテナから送信する。無線部３３は、アンテナから受信した無線信号をベースバンド信号に変換する。例えばセルに複数のセクタが含まれている場合、無線部３３はセクタごとに設けられる。制御部３４は、基地局３０における呼制御を実施する。制御部３４は、ハイウェイ部３１、ベースバンド信号処理部３２および無線部３３を制御し、１台以上の端末２５との接続や、ＭＭＥ２７などの上位コアノードとの接続を行う。制御部３４は、無線区間の品質測定を行う。制御部３４は、呼接続の確立前に、自局とともにオーバーレイ方式で運用されている基地局との間のハンドオーバーの手順を制御する。制御部３４は、呼接続の確立後に、自局に対してオーバーレイ方式で運用されていない基地局との間のハンドオーバーを制御する。マスター基地局２１の構成は、図５に示す基地局３０の構成と同様である。オーバーレイ基地局２３の構成は、図５に示す基地局３０の構成と同様であってもよい。
【００２２】
・基地局の制御部の構成
図６は、実施例２にかかる基地局の制御部を示すブロック図である。基地局３０の制御部３４は、基地局間インタフェース部４１、呼制御部４２、端末インタフェース部４３、ＭＭＥインタフェース部４４、インタフェース管理部４５、局データ展開部４６、報知情報送信部４７、オーバーレイ基地局管理データ４８および局データ４９を備えている。呼制御部４２は、端末２５やＭＭＥ２７などの上位コアノードとの接続のシーケンスや、自局に対してオーバーレイ方式で運用されていない基地局との間のハンドオーバーのシーケンスを制御する。呼制御部４２は、ベースバンド信号処理部３２や無線部３３の制御を実施する。呼制御部４２は、自局とともにオーバーレイ方式で運用されている基地局との間で、接続のシーケンスやハンドオーバーのシーケンスを制御する。端末インタフェース部４３は、端末２５との間で信号、例えばＲＲＣ（Ｒａｄｉｏ  Ｒｅｓｏｕｒｃｅ  Ｃｏｎｔｒｏｌ、ラジオリソースコントロール）信号の送受信を行う。基地局間インタフェース部４１は、自局とともにオーバーレイ方式で運用されている基地局や自局に対してオーバーレイ方式で運用されていない基地局との間で信号、例えばＸ２ＡＰ信号の送受信を行う。ＭＭＥインタフェース部４４は、ＭＭＥ２７との間で信号、例えばＳ１ＡＰ信号の送受信を行う。端末インタフェース部４３、基地局間インタフェース部４１およびＭＭＥインタフェース部４４は、例えばソフトウェアにより信号の送受信を行う。インタフェース管理部４５は、呼処理リソースや無線リソースの管理を行う。基地局３０がマスター基地局である場合には、インタフェース管理部４５は、オーバーレイ基地局のリソース管理も行う。局データ４９は、オーバーレイ基地局の有無や、自局がオーバーレイ基地局であるか否かなどの情報を有する。局データ４９は、例えばメモリに格納されている。局データ４９の一例を図７に示す。局データ展開部４６は、運転開始時や運転の再開時に局データ４９を利用可能な状態に展開し、オーバーレイ基地局の有無や、自局がオーバーレイ基地局であるか否かの判断を行う。オーバーレイ基地局管理データ４８は、オーバーレイ基地局の運転状況に関する情報を有する。オーバーレイ基地局管理データ４８は、例えばメモリに格納される。オーバーレイ基地局管理データ４８の一例を図８に示す。報知情報送信部４７は、呼接続用の報知情報の送信を行う。基地局３０がマスター基地局である場合、報知情報送信部４７は、呼接続用の報知情報を送信する。基地局３０がオーバーレイ基地局である場合、報知情報送信部４７は、呼接続用の報知情報を送信しなくてもよい。
【００２３】
端末インタフェース部４３は、実施例１における第１のインタフェース部１１，１６に相当する。ＭＭＥインタフェース部４４は、実施例１における第２のインタフェース部１２，１７に相当する。呼制御部４２は、実施例１における制御部１３，１８に相当する。基地局３０がオーバーレイ基地局としてのみ動作する局である場合、上述した基地局３０の構成において、オーバーレイ基地局管理データ４８はなくてもよい。また、オーバーレイ基地局が呼接続用の報知情報を送信しない場合には、報知情報送信部４７はなくてもよい。
【００２４】
・局データの一例
図７は、実施例２にかかる基地局の局データの一例を説明する図である。図７に示すように、局データ４９は、例えばオーバーレイ基地局の有無を示す情報と、オーバーレイ基地局がある場合のオーバーレイ基地局のアドレスや周波数オフセットやセクタの有無や収容可能な呼数などの情報を有する。局データ４９は、例えば自局がオーバーレイ基地局であるか否かを示す情報（例えば、図中「オーバーレイ基地局指示」）と、自局がオーバーレイ基地局である場合のマスター基地局のアドレスの情報を有する。なお、局データ４９は、これらの情報の一部を有していてもよいし、これらの情報以外の情報を有していてもよい。
【００２５】
・オーバーレイ基地局管理データの一例
図８は、実施例２にかかる基地局のオーバーレイ基地局管理データの一例を説明する図である。図８に示すように、オーバーレイ基地局管理データ４８は、例えばオーバーレイ基地局の運転状況を示す情報、各セクタの運転状況を示す情報、オーバーレイ基地局において収容可能な呼数の情報および使用中の呼数の情報を有する。オーバーレイ基地局の運転状況を示す情報は、自局とオーバーレイ基地局との通信状態が正常であるか、または切断された状態にあるかを示す情報である。各セクタの運転状況を示す情報は、例えば各セクタの増幅器やアンテナが正常であるか否かを示す情報である。なお、オーバーレイ基地局管理データ４８は、これらの情報の一部を有していてもよいし、これらの情報以外の情報を有していてもよい。
【００２６】
・端末の構成
図９は、実施例２にかかる端末を示すブロック図である。図９に示すように、端末２５は、表示操作部５１、ベースバンド信号処理部５２、無線部５３および制御部５４を備えている。表示操作部５１は、図示しない画面への表示やキー入力の検出を行う。ベースバンド信号処理部５２は、ベースバンド信号の処理を行う。ベースバンド信号処理部５２は、無線部５３を介して、基地局３０から送信された信号からＲＲＣ信号やパケット信号を抜き出す。ベースバンド信号処理部５２は、制御部５４にＲＲＣ信号やパケット信号を渡す。ベースバンド信号処理部５２は、制御部５４から渡された信号に対して秘匿処理やベースバンド信号処理を行う。無線部５３は、増幅器やアンテナを備えている。無線部５３は、ベースバンド信号を無線信号に変換し、増幅器により増幅して、アンテナから送信する。無線部５３は、アンテナから受信した無線信号をベースバンド信号に変換する。制御部５４は、アイドル状態や通信状態において、ベースバンド信号処理部５２や無線部５３を制御し、基地局３０との通信処理やパケット処理を行う。
【００２７】
・ＭＭＥの構成
図１０は、実施例２にかかるＭＭＥを示すブロック図である。図１０に示すように、ＭＭＥ２７は、ハイウェイ部６１および制御部６２を備えている。ハイウェイ部６１は、基地局３０との間、およびサービングゲートウェイやＩＭＳ（Ｉｎｔｅｒｎｅｔ  Ｐｒｏｔｏｃｏｌ  Ｍｕｌｔｉｍｅｄｉａ  Ｓｕｂｓｙｓｔｅｍ）網等の公衆通信網などの他ノードとの間で、パケット信号の送受信を行うインタフェースである。制御部６２は、ハイウェイ部６１を介して基地局３０や他のノードとの間の信号処理を実施する。制御部６２は、端末２５の移動管理を行う。
【００２８】
・マスター基地局の運転開始時（再開時）の手順の一例
図１１は、実施例２にかかる無線通信方法において基地局の運転開始時の手順の一例を説明するシーケンス図である。図１１に示すように、マスター基地局２１の運転が開始されると、マスター基地局２１は、局データ４９を読み込み、局データ展開部４６により局データ４９を利用可能な状態に展開する（ステップＳ１１）。そして、マスター基地局２１は、展開した局データ４９に基づいてオーバーレイ基地局２３の有無を認識する（ステップＳ１２）。オーバーレイ基地局２３がない場合には、マスター基地局２１は、通常の基地局として動作する。ここでは、オーバーレイ基地局２３があるとする。オーバーレイ基地局２３がある場合、マスター基地局２１は、オーバーレイ基地局２３の情報を利用可能な状態に展開する（ステップＳ１３）。次いで、マスター基地局２１は、局データ４９およびオーバーレイ基地局管理データ４８を初期化する（ステップＳ１４）。
【００２９】
一方、オーバーレイ基地局２３は、局データ４９を読み込み、局データ展開部４６により局データ４９を利用可能な状態に展開する（ステップＳ１５）。そして、オーバーレイ基地局２３は、展開した局データ４９に基づいて自局がオーバーレイ基地局２３であることを認識する（ステップＳ１６）。マスター基地局２１は、局データ４９およびオーバーレイ基地局管理データ４８の初期化後、オーバーレイ基地局２３にオーバーレイ基地局２３の運転状況を要求する（ステップＳ１７）。
【００３０】
オーバーレイ基地局２３は、マスター基地局２１から運転状況の要求を受け取ると、自局の運転状況を収集し、報告信号を作成する（ステップＳ１８）。オーバーレイ基地局２３は、作成した報告信号をマスター基地局２１へ送信することにより、マスター基地局２１に自局の運転状況を報告する（ステップＳ１９）。マスター基地局２１は、オーバーレイ基地局２３から運転状況の報告を受け取ると、オーバーレイ基地局２３の運転状況をオーバーレイ基地局管理データ４８として例えばメモリに格納する（ステップＳ２０）。そして、マスター基地局２１は、内蔵するタイマを起動する（ステップＳ２１）。マスター基地局２１が何らかの理由により運転を停止していた状態から運転を再開するときの手順も同様である。
【００３１】
・基地局間の運転状況監視手順の一例
図１２は、実施例２にかかる無線通信方法において基地局間の運転状況監視手順の一例を説明するシーケンス図である。図１２に示すように、マスター基地局２１において、上述したステップＳ２１で起動されたタイマによって周期的にイベントが起動されると、マスター基地局２１は、オーバーレイ基地局２３にオーバーレイ基地局２３の運転状況を要求する（ステップＳ３１）。オーバーレイ基地局２３は、マスター基地局２１から運転状況の要求を受け取ると、上述したステップＳ１８と同様にして報告信号を作成する（ステップＳ３２）。そして、オーバーレイ基地局２３は、作成した報告信号をマスター基地局２１へ送信することによりマスター基地局２１に自局の運転状況を報告する（ステップＳ３３）。マスター基地局２１は、オーバーレイ基地局２３から運転状況の報告を受け取ると、受け取ったオーバーレイ基地局２３の運転状況に基づいてオーバーレイ基地局管理データ４８を更新する（ステップＳ３４）。
【００３２】
・端末からの発呼手順の一例
図１３および図１４は、実施例２にかかる無線通信方法において端末からの発呼手順の一例を説明するシーケンス図である。図１３に示すように、端末からの発呼時には、端末２５は、呼接続用の報知情報を送信しているマスター基地局２１に対してＲＲＣコネクションを要求する（ＲＲＣ  ＣＯＮＮ  Ｒｅｑ：ＲＲＣ  Ｃｏｎｎｅｃｔｉｏｎ  Ｒｅｑｕｅｓｔ、ステップＳ４１）。マスター基地局２１は、端末２５にＲＲＣコネクションの設定を要求する（ＲＲＣ  ＣＯＮＮ  ＳＥＴＵＰ：ＲＲＣ  Ｃｏｎｎｅｃｔｉｏｎ  Ｓｅｔｕｐ、ステップＳ４２）。端末２５は、ＲＲＣコネクションを設定し、マスター基地局２１にＲＲＣコネクションの設定を完了したことを通知する（ＲＲＣ  ＣＯＮＮ  ＳＥＴＵＰ  Ｃｏｍｐ：ＲＲＣ  Ｃｏｎｎｅｃｔｉｏｎ  Ｓｅｔｕｐ  Ｃｏｍｐｌｅｔｅ、ステップＳ４３）。次いで、端末２５は、マスター基地局２１にサービスへの接続を要求する（Ｓｅｒｖｉｃｅ  Ｒｅｑｕｅｓｔ、ステップＳ４４）。
【００３３】
マスター基地局２１は、端末２５からサービスへの接続の要求を受け付けると、この端末２５からの呼に対して、制御プレーン（Ｃプレーン）において呼（端末）をユニークに識別する情報としてｅＮＢ  ＵＥ  Ｓ１ＡＰ  ＩＤを割り付ける。これ以降、マスター基地局２１は、このｅＮＢ  ＵＥ  Ｓ１ＡＰ  ＩＤを使用してＭＭＥ２７との間でユーザーの信号を送受信する。マスター基地局２１は、ＭＭＥ２７にサービスへの接続を要求する（Ｓｅｒｖｉｃｅ  Ｒｅｑｕｅｓｔ、ステップＳ４５）。マスター基地局２１は、このサービスへの接続の要求とともにＭＭＥ２７にｅＮＢ  ＵＥ  Ｓ１ＡＰ  ＩＤを通知する。
【００３４】
ＭＭＥ２７は、マスター基地局２１からｅＮＢ  ＵＥ  Ｓ１ＡＰ  ＩＤを受け取ると、端末２５からの呼に対して、Ｃプレーンにおいて呼（端末）をユニークに識別する情報としてＭＭＥ  ＵＥ  Ｓ１ＡＰ  ＩＤを割り付ける。これ以降、ＭＭＥ２７は、このＭＭＥ  ＵＥ  Ｓ１ＡＰ  ＩＤを使用してマスター基地局２１との間でユーザーの信号を送受信する。ＭＭＥ２７は、端末２５にセキュリティ情報を送信する（Ｓｅｃｕｒｉｔｙ  Ｍｏｄｅ  Ｃｏｍｍａｎｄ、ステップＳ４６）。ＭＭＥ２７は、このセキュリティ情報とともにマスター基地局２１にＭＭＥ  ＵＥ  Ｓ１ＡＰ  ＩＤを通知する。
【００３５】
一方、端末２５は、セキュリティ情報を設定し、ＭＭＥ２７にセキュリティ情報の設定を完了したことを通知する（Ｓｅｃｕｒｉｔｙ  Ｍｏｄｅ  Ｃｏｍｐｌｅｔｅ、ステップＳ４７）。ＭＭＥ２７は、マスター基地局２１に初期コンテキストの設定を要求する（Ｉｎｉｔｉａｌ  Ｃｏｎｔｅｘｔ  Ｓｅｔｕｐ  Ｒｅｑｕｅｓｔ、ステップＳ４８）。マスター基地局２１は、マスター基地局２１とオーバーレイ基地局２３の運転状況を読み込む（ステップＳ４９）。
【００３６】
図１４に示すように、マスター基地局２１は、マスター基地局２１の運転状況とオーバーレイ基地局２３の運転状況とに基づいて、端末２５をオーバーレイ基地局２３に接続させるか否かを判断する。例えば、オーバーレイ基地局２３の収容可能な呼数に空きがある場合に、マスター基地局２１は、端末２５をオーバーレイ基地局２３に接続させると判断してもよい。あるいは、オーバーレイ基地局２３の収容可能な呼数の空きがマスター基地局２１の収容可能な呼数の空きよりも多い場合に、マスター基地局２１は、端末２５をオーバーレイ基地局２３に接続させると判断してもよい。ここでは、マスター基地局２１は、端末２５をオーバーレイ基地局２３に接続させると判断したとする（ステップＳ５０）。
【００３７】
マスター基地局２１は、ＭＭＥ２７にオーバーレイ基地局２３へのハンドオーバーが必要であることを通知する（Ｈａｎｄｏｖｅｒ  Ｒｅｑｕｉｒｅｄ、ステップＳ５１）。ＭＭＥ２７は、オーバーレイ基地局２３に対して、Ｃプレーンにおいて呼（端末）をユニークに識別する情報としてＭＭＥ  ＵＥ  Ｓ１ＡＰ  ＩＤを割り付ける。また、ＭＭＥ２７は、オーバーレイ基地局２３に対して、ユーザープレーン（Ｕプレーン）において呼（端末）をユニークに識別する情報としてＵＬ  ＧＴＰ  ＴＥＩＤを割り付ける。ＭＭＥ  ＵＥ  Ｓ１ＡＰ  ＩＤおよびＵＬ  ＧＴＰ  ＴＥＩＤは、コネクション単位で管理される。これ以降、ＭＭＥ２７は、これらＭＭＥ  ＵＥ  Ｓ１ＡＰ  ＩＤおよびＵＬ  ＧＴＰ  ＴＥＩＤを使用してオーバーレイ基地局２３との間でユーザーの信号およびパケットを送受信する。ＭＭＥ２７は、オーバーレイ基地局２３にハンドオーバーの要求を通知する（Ｈａｎｄｏｖｅｒ  Ｒｅｑｕｅｓｔ、ステップＳ５２）。ＭＭＥ２７は、このハンドオーバーの要求とともにオーバーレイ基地局２３にＭＭＥ  ＵＥ  Ｓ１ＡＰ  ＩＤおよびＵＬ  ＧＴＰ  ＴＥＩＤを通知する。
【００３８】
オーバーレイ基地局２３は、ＭＭＥ  ＵＥ  Ｓ１ＡＰ  ＩＤおよびＵＬ  ＧＴＰ  ＴＥＩＤを受け取ると、ＭＭＥ２７に対して、Ｃプレーンにおいて呼（端末）をユニークに識別する情報としてｅＮＢ  ＵＥ  Ｓ１ＡＰ  ＩＤを割り付ける。また、オーバーレイ基地局２３は、ＭＭＥ２７に対して、Ｕプレーンにおいて呼（端末）をユニークに識別する情報としてＤＬ  ＧＴＰ  ＴＥＩＤを割り付ける。ｅＮＢ  ＵＥ  Ｓ１ＡＰ  ＩＤおよびＤＬ  ＧＴＰ  ＴＥＩＤは、コネクション単位で管理される。これ以降、オーバーレイ基地局２３は、これらｅＮＢ  ＵＥ  Ｓ１ＡＰ  ＩＤおよびＤＬ  ＧＴＰ  ＴＥＩＤを使用してＭＭＥ２７との間でユーザーの信号およびパケットを送受信する。オーバーレイ基地局２３は、ＭＭＥ２７にハンドオーバーの承諾を通知する（Ｈａｎｄｏｖｅｒ  Ｒｅｑｕｅｓｔ  Ａｃｋ：Ｈａｎｄｏｖｅｒ  Ｒｅｑｕｅｓｔ  Ａｃｋｎｏｗｌｅｄｇｅｍｅｎｔ、ステップＳ５３）。オーバーレイ基地局２３は、このハンドオーバーの承諾とともにＭＭＥ２７にｅＮＢ  ＵＥ  Ｓ１ＡＰ  ＩＤおよびＤＬ  ＧＴＰ  ＴＥＩＤを通知する。
【００３９】
ＭＭＥ２７は、マスター基地局２１にハンドオーバーを指示する（Ｈａｎｄｏｖｅｒ  Ｃｏｍｍａｎｄ、ステップＳ５４）。ハンドオーバーの実施によってオーバーレイ基地局２３の運転状況が変わるので、マスター基地局２１は、オーバーレイ基地局管理データ４８（例えば「使用中呼数」）を、ハンドオーバー後のオーバーレイ基地局２３の運転状況を反映させた内容に更新する（ステップＳ５５）。
【００４０】
次いで、マスター基地局２１は、端末２５に、オーバーレイ基地局２３の周波数を通知し、ＲＲＣコネクションの再設定を通知する（ＲＲＣ  ＣＯＮＮ  Ｒｅｃｏｎｆ：ＲＲＣ  Ｃｏｎｎｅｃｔｉｏｎ  Ｒｅｃｏｎｆｉｇｕｒａｔｉｏｎ、ステップＳ５６）。マスター基地局２１は、ＭＭＥ２７に初期コンテキストの設定を完了したことを通知する（Ｉｎｉｔｉａｌ  Ｃｏｎｔｅｘｔ  Ｓｅｔｕｐ  Ｃｏｍｐｌｅｔｅ、ステップＳ５７）。ＲＲＣコネクションの再設定および初期コンテキストの設定完了によって、端末２５とオーバーレイ基地局２３との間で無線ベアラが確立する（Ｒａｄｉｏ  Ｂｅａｒｅｒ  Ｅｓｔａｂｌｉｓｈｍｅｎｔ、ステップＳ５８）。すなわち、ハンドオーバーの手順に従ってマスター基地局２１からオーバーレイ基地局２３に端末２５の接続先が変更される。オーバーレイ基地局２３は、ＭＭＥ２７にハンドオーバーが実施されたことを通知する（Ｈａｎｄｏｖｅｒ  Ｎｏｔｉｆｙ、ステップＳ５９）。これ以降、端末２５とＭＭＥ２７との間でオーバーレイ基地局２３を介して上りリンクおよび下りリンクのデータ（Ｕｐｌｉｎｋ／Ｄｏｗｎｌｉｎｋ  Ｄａｔａ）が送受信される（ステップＳ６０）。
【００４１】
ステップＳ５０において、マスター基地局２１が端末２５を自局に接続させると判断した場合には、端末２５とマスター基地局２１との間で無線ベアラが確立する。すなわち、ステップＳ５１からステップＳ５９までが省略され、マスター基地局２１からオーバーレイ基地局２３への接続先の変更が実施されない。
【００４２】
・他の基地局（例えばマスター基地局、オーバーレイ基地局に隣接するセルの基地局）からのハンドオーバー手順の一例
図１５および図１６は、実施例２にかかる無線通信方法において他の基地局（例えばマスター基地局、オーバーレイ基地局に隣接するセルの基地局）からのハンドオーバー手順の一例を説明するシーケンス図である。図１５に示すように、他の基地局（例えばマスター基地局、オーバーレイ基地局に隣接するセルの基地局）からのハンドオーバー時には、端末２５は、通信品質を測定し、この他の基地局（例えばマスター基地局、オーバーレイ基地局に隣接するセルの基地局）に通信品質の測定結果を通知する（Ｍｅａｓｕｒｅｍｅｎｔ  Ｒｅｐｏｒｔ、ステップＳ７１）。当該他の基地局（例えばマスター基地局、オーバーレイ基地局に隣接するセルの基地局）は、自局と端末２５との通信の品質が悪い場合、ＭＭＥ２７に通信品質の良い例えばマスター基地局２１へのハンドオーバーが必要であることを通知する（Ｈａｎｄｏｖｅｒ  Ｒｅｑｕｉｒｅｄ、ステップＳ７２）。このときのハンドオーバー先は、呼接続用の報知情報を送信しているマスター基地局２１となる。ＭＭＥ２７は、マスター基地局２１にハンドオーバーの要求を通知する（Ｈａｎｄｏｖｅｒ  Ｒｅｑｕｅｓｔ、ステップＳ７３）。
【００４３】
マスター基地局２１は、マスター基地局２１とオーバーレイ基地局２３の運転状況を読み込む（ステップＳ７４）。マスター基地局２１は、マスター基地局２１の運転状況とオーバーレイ基地局２３の運転状況とに基づいて、端末２５をオーバーレイ基地局２３に接続させるか否かを判断する。このときの判断基準は、例えば上述したステップＳ５０において説明した通りである。ここでは、マスター基地局２１は、端末２５をオーバーレイ基地局２３に接続させると判断したとする（ステップＳ７５）。マスター基地局２１は、ハンドオーバーを承諾し、ＭＭＥ２７にオーバーレイ基地局２３をハンドオーバー先とすることを通知する（Ｈａｎｄｏｖｅｒ  Ｒｅｑｕｅｓｔ  Ａｃｋ、ステップＳ７６）。ＭＭＥ２７は、端末２５と接続中の他の基地局（例えばマスター基地局、オーバーレイ基地局に隣接するセルの基地局）にハンドオーバーを指示する（Ｈａｎｄｏｖｅｒ  Ｃｏｍｍａｎｄ、ステップＳ７７）。
【００４４】
図１６に示すように、端末２５と接続中の他の基地局（例えばマスター基地局、オーバーレイ基地局に隣接するセルの基地局）は、端末２５に、オーバーレイ基地局２３の周波数を通知し、オーバーレイ基地局２３をハンドオーバー先としてＲＲＣコネクションを再設定することを通知する（ＲＲＣ  Ｃｏｎｎｅｃｔｉｏｎ  Ｒｅｃｏｎｆ、ステップＳ７８）。次いで、上述したステップＳ５１からステップＳ６０まで（ただし、ステップＳ５６とステップＳ５７を除く）と同様にして、端末２５とオーバーレイ基地局２３との間で無線ベアラが確立し、端末２５とＭＭＥ２７との間でオーバーレイ基地局２３を介して上りリンクおよび下りリンクのデータ（Ｕｐｌｉｎｋ／Ｄｏｗｎｌｉｎｋ  Ｄａｔａ）が送受信される（ステップＳ７９〜ステップＳ８６）。ステップＳ７５において、マスター基地局２１が端末２５を自局に接続させると判断した場合には、ステップＳ７８において端末２５と接続中の他の基地局（例えばマスター基地局、オーバーレイ基地局に隣接するセルの基地局）は、端末２５にマスター基地局２１の周波数を通知する。そして、ステップＳ７９からステップＳ８５までが実施されない。また、端末２５と接続中の他の基地局（例えばマスター基地局、オーバーレイ基地局に隣接するセルの基地局）からのハンドオーバー先がマスター基地局２１となるので、端末２５とマスター基地局２１との間で無線ベアラが確立する。
【００４５】
・オーバーレイ基地局における呼解放手順の一例
図１７は、実施例２にかかる無線通信方法において呼解放手順の一例を説明するシーケンス図である。図１７に示すように、端末２５は、オーバーレイ基地局２３に接続されており、端末２５とＭＭＥ２７との間で、上りリンクおよび下りリンクのデータ（Ｕｐｌｉｎｋ／Ｄｏｗｎｌｉｎｋ  Ｄａｔａ）が送受信されている（ステップＳ９１）。この状況において、端末２５は、オーバーレイ基地局２３に呼の解放を通知する（ＲＲＣ  Ｃｏｎｎｅｃｔｉｏｎ  Ｒｅｌｅａｓｅ、ステップＳ９２）。オーバーレイ基地局２３は、ＭＭＥ２７に端末のコンテキストの解放を要求する（ＵＥ  Ｃｏｎｔｅｘｔ  Ｒｅｌｅａｓｅ  Ｒｅｑｕｅｓｔ：Ｕｓｅｒ  Ｅｑｕｉｐｍｅｎｔ  Ｃｏｎｔｅｘｔ  Ｒｅｌｅａｓｅ  Ｒｅｑｕｅｓｔ、ステップＳ９３）。ＭＭＥ２７は、オーバーレイ基地局２３に端末のコンテキストの解放を指示する（ＵＥ  Ｃｏｎｔｅｘｔ  Ｒｅｌｅａｓｅ  Ｃｏｍｍａｎｄ、ステップＳ９４）。オーバーレイ基地局２３は、端末２５の呼を解放し、端末２５にＲＲＣコネクションの再設定を通知する（ＲＲＣ  Ｃｏｎｎｅｃｔｉｏｎ  Ｒｅｃｏｎｆ、ステップＳ９５）。オーバーレイ基地局２３は、マスター基地局２１に例えばＸ２ＡＰ信号によって端末２５の呼の解放を通知する（ＵＥ  Ｃｏｎｔｅｘｔ  Ｒｅｌｅａｓｅ、ステップＳ９６）。呼の解放によってオーバーレイ基地局２３の運転状況が変わったので、マスター基地局２１は、オーバーレイ基地局管理データ４８（例えば「使用中呼数」）を、呼の解放後のオーバーレイ基地局２３の運転状況を反映させた内容に更新する（ステップＳ９７）。
【００４６】
・オーバーレイ基地局から他の基地局（例えばマスター基地局、オーバーレイ基地局に隣接するセルの基地局）へのハンドオーバー手順の一例
図１８は、実施例２にかかる無線通信方法において他の基地局（例えばマスター基地局、オーバーレイ基地局に隣接するセルの基地局）へのハンドオーバー手順の一例を説明するシーケンス図である。図１８に示すように、端末２５がオーバーレイ基地局２３に接続されている状況において、端末２５は、通信品質を測定し、オーバーレイ基地局２３に通信品質の測定結果を通知する（Ｍｅａｓｕｒｅｍｅｎｔ  Ｒｅｐｏｒｔ、ステップＳ１０１）。オーバーレイ基地局２３は、自局と端末２５との通信の品質が悪い場合、ＭＭＥ２７に通信品質の良い他の基地局（例えばマスター基地局、オーバーレイ基地局に隣接するセルの基地局）へのハンドオーバーが必要であることを通知する（Ｈａｎｄｏｖｅｒ  Ｒｅｑｕｉｒｅｄ、ステップＳ１０２）。ＭＭＥ２７は、他の基地局（例えばマスター基地局、オーバーレイ基地局に隣接するセルの基地局）にハンドオーバーの要求を通知する（Ｈａｎｄｏｖｅｒ  Ｒｅｑｕｅｓｔ、ステップＳ１０３）。当該他の基地局（例えばマスター基地局、オーバーレイ基地局に隣接するセルの基地局）は、ＭＭＥ２７にハンドオーバーの承諾を通知する（Ｈａｎｄｏｖｅｒ  Ｒｅｑｕｅｓｔ  Ａｃｋ、ステップＳ１０４）。
【００４７】
ＭＭＥ２７は、オーバーレイ基地局２３にハンドオーバーを指示する（Ｈａｎｄｏｖｅｒ  Ｃｏｍｍａｎｄ、ステップＳ１０５）。オーバーレイ基地局２３は、端末２５に、ハンドオーバー先となる基地局の周波数を通知し、この基地局をハンドオーバー先としてＲＲＣコネクションを再設定することを通知する（ＲＲＣ  Ｃｏｎｎｅｃｔｉｏｎ  Ｒｅｃｏｎｆ、ステップＳ１０６）。ＲＲＣコネクションの再設定によって、端末２５と他の基地局（例えばマスター基地局、オーバーレイ基地局に隣接するセルの基地局）との間で無線ベアラが確立する（Ｒａｄｉｏ  Ｂｅａｒｅｒ  Ｅｓｔａｂｌｉｓｈｍｅｎｔ、ステップＳ１０７）。すなわち、オーバーレイ基地局２３から他の基地局（例えばマスター基地局、オーバーレイ基地局に隣接するセルの基地局）へのハンドオーバーが実施される。ハンドオーバー先の他の基地局（例えばマスター基地局、オーバーレイ基地局に隣接するセルの基地局）は、ＭＭＥ２７にハンドオーバーが実施されたことを通知する（Ｈａｎｄｏｖｅｒ  Ｎｏｔｉｆｙ、ステップＳ１０８）。それによって、端末２５とＭＭＥ２７との間で他の基地局（例えばマスター基地局、オーバーレイ基地局に隣接するセルの基地局）を介して上りリンクおよび下りリンクのデータ（Ｕｐｌｉｎｋ／Ｄｏｗｎｌｉｎｋ  Ｄａｔａ）の送受信が開始される（ステップＳ１０９）。オーバーレイ基地局２３は、マスター基地局２１に例えばＸ２ＡＰ信号によって端末２５の呼の解放を通知する（ＵＥ  Ｃｏｎｔｅｘｔ  Ｒｅｌｅａｓｅ、ステップＳ１１０）。マスター基地局２１は、オーバーレイ基地局管理データ４８を、呼の解放後のオーバーレイ基地局２３の運転状況を反映させた内容に更新する（ステップＳ１１１）。
【００４８】
実施例２によれば、実施例１と同様の効果が得られる。また、オーバーレイ基地局２３が呼接続用の報知情報（止まり木チャネル）を送信しない場合には、呼接続用の報知情報に割り当てる分の電力をユーザー回線に割り当てることができる。従って、ユーザー回線の容量をより多く確保することができる。また、端末２５の接続先をマスター基地局２１からオーバーレイ基地局２３へ遷移させる際にハンドオーバーの手順に従うことによって、オーバーレイ基地局２３に対してＲＲＣコネクションの要求からやり直さずに済む。従って、無線接続が確立するまでの時間を短縮することができる。端末２５の消費電力を減らすことができる。また、基地局の運用中にこの基地局のセル内のユーザー数が当初の想定数よりも増えた場合、この基地局の局舎にオーバーレイ基地局２３となる基地局装置を設置するだけでよいので、柔軟な置局設計が可能となる。また、マスター基地局２１がオーバーレイ基地局２３のリソースを管理するので、マスター基地局２１およびオーバーレイ基地局２３を制御する上位の装置がなくても、これらの基地局をオーバーレイ方式で運用することができる。また、マスター基地局２１は、自局の運転開始時および運転中に周期的にオーバーレイ基地局２３の運転状況に関する情報を取得するので、常にオーバーレイ基地局２３の運転状況を把握することができる。また、オーバーレイ基地局２３の運転状況に変化があるとオーバーレイ基地局管理データ４８が更新されるので、マスター基地局２１は、常に最新のオーバーレイ基地局２３の運転状況を把握することができる。
【００４９】
上述した実施例１、２に関し、さらに以下の付記を開示する。
【００５０】
（付記１）呼接続用の報知情報を送信する第１の基地局と、前記第１の基地局の通信可能領域と重なる通信可能領域を有する第２の基地局と、前記第１の基地局または第２の基地局に呼接続される端末と、前記端末の位置および移動を管理する管理装置を備える無線通信システムにおいて、前記第１の基地局は、前記端末から呼接続要求を受信したとき、前記呼接続要求を受信した端末の呼接続先を前記第２の基地局に移すことをハンドオーバーの手順を使用して該管理装置へ通知すると共に、前記第２の基地局の周波数を前記端末に通知し、前記端末は、前記通知された周波数に基づいて前記第２の基地局と呼接続を行うことを特徴とする無線通信システム。
【００５１】
（付記２）前記第１の基地局は、前記第２の基地局の収容可能呼数のうちの空いている呼数に基づいて、自局が前記端末と呼接続するか、前記第２の基地局を前記端末の呼接続先とするかを判断することを特徴とする付記１に記載の無線通信システム。
【００５２】
（付記３）端末と無線信号の送受信を行う第１のインタフェース部と、端末の位置および移動を管理する管理装置と接続する第２のインタフェース部と、前記第１のインタフェース部を介して自局が送信した呼接続用の報知情報を受信した端末からの呼接続要求に基づいて、前記端末の呼接続先を自局の通信可能領域と重なる通信可能領域を有する他の基地局に移すことをハンドオーバーの手順を使用して前記第２のインタフェース部を介して該管理装置へ通知すると共に前記他の基地局の周波数を前記第１のインタフェース部を介して前記端末に通知する制御を行う制御部と、を備えることを特徴とする基地局。
【００５３】
（付記４）前記制御部は、自局の通信可能領域と重なる通信可能領域を有する前記他の基地局から取得した該他の基地局の収容可能呼数のうちの空いている呼数の情報に基づいて、自局が前記端末と呼接続するか、前記他の基地局を前記端末の呼接続先とするかを判断することを特徴とする付記３に記載の基地局。
【００５４】
（付記５）端末と無線信号の送受信を行う第１のインタフェース部と、端末の位置および移動を管理する管理装置と接続する第２のインタフェース部と、前記第１のインタフェース部を介して前記端末との呼接続を行うための制御を行う制御部と、を備え、前記制御部は、自局の通信可能領域と重なる通信可能領域を有する他の基地局が送信した呼接続用の報知情報を受信した端末からの呼接続要求に基づいて前記端末の呼接続先を自局に移すことをハンドオーバーの手順を使用して前記第２のインタフェース部を介して該管理装置から通知されたときに前記呼接続を行うことを特徴とする基地局。
【００５５】
（付記６）呼接続用の報知情報を送信する第１の基地局と、前記第１の基地局の通信可能領域と重なる通信可能領域を有する第２の基地局と、前記第１の基地局または第２の基地局に呼接続される端末と、前記端末の位置および移動を管理する管理装置を備える無線通信システムにおける通信方法において、前記第１の基地局が、前記端末から呼接続要求を受信したとき、前記呼接続要求を受信した端末の呼接続先を前記第２の基地局に移すことをハンドオーバーの手順を使用して該管理装置へ通知すると共に、前記第２の基地局の周波数を前記端末に通知する第１のステップと、前記端末が、前記通知された周波数に基づいて前記第２の基地局と呼接続を行う第２のステップと、を含むことを特徴とする無線通信方法。
【００５６】
（付記７）前記第１のステップでは、前記第１の基地局は、前記第２の基地局の収容可能呼数のうちの空いている呼数に基づいて、自局が前記端末と呼接続するか、前記第２の基地局を前記端末の呼接続先とするかを判断することを特徴とする付記６に記載の無線通信方法。
【００５７】
（付記８）自局が送信した呼接続用の報知情報を受信した端末からの呼接続要求に基づいて、前記端末の呼接続先を自局の通信可能領域と重なる通信可能領域を有する他の基地局に移すことをハンドオーバーの手順を使用して、端末の位置および移動を管理する管理装置へ通知する第１のステップと、前記他の基地局の周波数を前記端末に通知する第２のステップと、を含むことを特徴とする無線通信方法。
【００５８】
（付記９）前記第１のステップでは、自局の通信可能領域と重なる通信可能領域を有する前記他の基地局から取得した該他の基地局の収容可能呼数のうちの空いている呼数の情報に基づいて、自局が前記端末と呼接続するか、前記他の基地局を前記端末の呼接続先とするかを判断することを特徴とする付記８に記載の無線通信方法。
【００５９】
（付記１０）自局の通信可能領域と重なる通信可能領域を有する他の基地局が送信した呼接続用の報知情報を受信した端末からの呼接続要求に基づいて前記端末の呼接続先を自局に移すことをハンドオーバーの手順を使用して、端末の位置および移動を管理する管理装置から通知される第１のステップと、前記管理装置からの通知に基づいて前記端末との呼接続を行う第２のステップと、を含むことを特徴とする無線通信方法。
【符号の説明】
【００６０】
１  第１の基地局
２  第１の基地局の通信可能領域
３  第２の基地局
４  第２の基地局の通信可能領域
５  端末
６  管理装置
１１，１６  第１のインタフェース部
１２，１７  第２のインタフェース部
１３，１８  制御部
【図１】
0005447119.tif 000002
【図２】
0005447119.tif 000003
【図３】
0005447119.tif 000004
【図４】
0005447119.tif 000005
【図５】
0005447119.tif 000006
【図６】
0005447119.tif 000007
【図７】
0005447119.tif 000008
【図８】
0005447119.tif 000009
【図９】
0005447119.tif 000010
【図１０】
0005447119.tif 000011
【図１１】
0005447119.tif 000012
【図１２】
0005447119.tif 000013
【図１３】
0005447119.tif 000014
【図１４】
0005447119.tif 000015
【図１５】
0005447119.tif 000016
【図１６】
0005447119.tif 000017
【図１７】
0005447119.tif 000018
【図１８】
0005447119.tif 000019